(57)【要約】【課題】  極めて容易に製造することができるとともに拡散効率を大幅に向上させることができる光拡散板を提供することを目的とする。【解決手段】  光拡散板１０は、所定の透明フィルム等からなる所定の基材の光出射側に、略球体内面の一部形状からなる多数の凹部１１ａ，１１ｂ，１１ｃ，１１ｄ，・・・を設けて構成される。このような光拡散板１０は、光出射側に多数の凹部１１ａ，１１ｂ，１１ｃ，１１ｄ，・・・が形成されていることから、ある凹部における臨界角よりも周辺部に入射した入射光が全反射することなく、隣接する凹部を介して出射するようになる。【選択図】  図２
2006091468.tif 000002
【特許請求の範囲】
【請求項１】
入射した光を透過する光透過体であって、
少なくとも一方の界面に多数の凹部が形成されていること
を特徴とする光透過体。
【請求項２】
光出射側に前記凹部が形成されており、
光入射側には、前記凹部に対応した多数の凸部が形成されていることを特徴とする請求項１記載の光透過体。
【請求項３】
前記凹部は、略球体内面の一部形状からなることを特徴とする請求項１記載の光透過体。
【請求項４】
所定の基材に微小凸レンズを敷き詰めて構成される原版を反転させて製造されることを特徴とする請求項１記載の光透過体。
【請求項５】
前記原版上に所定の樹脂を塗布し、前記樹脂上に被覆された所定のフィルムを剥離することによって製造されることを特徴とする請求項４記載の光透過体。
【請求項６】
前記樹脂は、紫外線硬化樹脂であることを特徴とする請求項５記載の光透過体。
【請求項７】
前記フィルムは、ポリエチレンテレフタレートフィルムであり、
前記紫外線硬化樹脂上に被覆された前記ポリエチレンテレフタレートフィルム上から紫外線を照射することによって当該ポリエチレンテレフタレートフィルムが剥離されることを特徴とする請求項６記載の光透過体。
【請求項８】
前記フィルムの代わりに、所定の基材に微小凸レンズを敷き詰めて構成される光拡散板の台紙を用い、前記台紙側に前記紫外線硬化樹脂が塗布されることを特徴とする請求項６記載の光透過体。
【請求項９】
前記凹部は、回転楕円体内面の一部形状からなることを特徴とする請求項１記載の光透過体。
【請求項１０】
所定の基材に微小凸レンズを敷き詰めて構成される原版を反転させて製造されることを特徴とする請求項９記載の光透過体。
【請求項１１】
前記原版上に所定の樹脂を塗布し、前記樹脂上に被覆された所定のフィルムを剥離することによって作製される凹部群上に所定の樹脂溶液を塗布し、その塗布面を下方にして固化させることによって作製される型を用いて製造されることを特徴とする請求項１０記載の光透過体。
【請求項１２】
前記型は、合成樹脂型又は電気鋳造型であることを特徴とする請求項１１記載の光透過体。
【請求項１３】
前記型は、延伸可能な素材を用いて作製されたものであり、
前記型を回転楕円体の長軸方向と直交する方向に延伸し、前記界面に垂直で互いに直交する凹部断面形状が異なる仮型を用いて製造されることを特徴とする請求項１１記載の光透過体。
【請求項１４】
前記仮型に基づいて２回転写した本型を用いて製造されることを特徴とする請求項１３記載の光透過体。
【請求項１５】
延伸した前記界面の形状である楕円の長軸と短軸との比率は、１．２乃至２．０であることを特徴とする請求項１３記載の光透過体。
【請求項１６】
前記原版上に所定の樹脂溶液を塗布し、その塗布面を下方にして固化させることによって作製される型を用いて製造されることを特徴とする請求項１０記載の光透過体。
【請求項１７】
前記型は、合成樹脂型又は電気鋳造型であることを特徴とする請求項１６記載の光透過体。
【請求項１８】
前記型は、延伸可能な素材を用いて作製されたものであり、
前記型を回転楕円体の長軸方向と直交する方向に延伸し、前記界面に垂直で互いに直交する凹部断面形状が異なる仮型を用いて製造されることを特徴とする請求項１６記載の光透過体。
【請求項１９】
前記仮型に基づいて２回転写した本型を用いて製造されることを特徴とする請求項１８記載の光透過体。
【請求項２０】
延伸した前記界面の形状である楕円の長軸と短軸との比率は、１．２乃至２．０であることを特徴とする請求項１８記載の光透過体。
【請求項２１】
入射した光を拡散する光拡散板であって、
所定の基材と、
前記基材における少なくとも一方の界面に多数の凹部が形成された光透過体とを備えること
を特徴とする光拡散板。
【請求項２２】
プロジェクター装置による映像光を投影するプロジェクター装置用スクリーンであって、
所定の基材と、
前記基材における少なくとも一方の界面に多数の凹部が形成された光透過体を有する光拡散板を備えること
を特徴とするプロジェクター装置用スクリーン。
【発明の詳細な説明】
【技術分野】
【０００１】
本発明は、入射した光を透過する光透過体、及びこの光透過体を用いた光拡散板、並びにこの光拡散板を用いたプロジェクター装置用スクリーンに関する。
【背景技術】
【０００２】
近年、会議等において聴衆に資料を提示する表示装置として、いわゆるオーバーヘッドプロジェクターやスライドプロジェクターが広く用いられている。また、一般家庭においても、液晶を用いたビデオプロジェクターや動画フィルムプロジェクター等が普及しつつある。また、表示装置としては、いわゆる液晶表示装置も普及しつつある。
【０００３】
このような各種プロジェクター装置や液晶表示装置においては、スクリーンに投影される映像光や蛍光管から照射される光を拡散するために光拡散板が設けられる。かかる光拡散板としては、通常、微小な凸レンズ、より具体的には、１０μｍ〜数百μｍオーダの球形ビーズを面上に敷き詰めることによって構成される。
【０００４】
このような光拡散に関する技術としては、例えば特許文献１及び特許文献２等に記載された技術が提案されている。
【０００５】
【特許文献１】特開平１０−２８２３１５号公報
【特許文献２】特開２０００−１５８４５０号公報
【０００６】
具体的には、特許文献１には、透過型スクリーンに好適な光拡散板及びその製造方法が開示されている。特に、この光拡散板は、光が入射される一方の面に光線を屈折拡散させる微細な凹凸形状を有し、観察側となる他方の面はほぼ平坦で、微細な凹凸形状にほぼ沿うように光吸収層を形成されたものである。これにより、この光拡散板においては、拡散効果を大きくするとともに、小さな透過損失で外光反射の低減効果を大きくすることができるとしている。
【０００７】
また、特許文献２には、液晶リアプロジェクター装置や液晶表示パネル等の画像装置に使用される光コントロール部材の製造方法が開示されている。特に、この光コントロール部材の製造方法は、凹凸形状が設けられ且つ延伸できる素材からなる型を延伸して凹凸形状を拡大し、この拡大された凹凸形状を転写して光コントロール部材若しくは光コントロール部材の製造型を形成するものである。これにより、この光コントロール部材の製造方法においては、光の指向性を容易に調整して光の拡散作用を最適な状態に設定することができるとしている。
【発明の開示】
【発明が解決しようとする課題】
【０００８】
ところで、光出射側の界面への入射光は、その入射角と屈折比率とに応じて屈折又は全反射する。ここで、従来のアクリル製球形ビーズＢＺを用いた光拡散板に対して垂直に球面内へと入射する平行光を考える。この場合、例えば図９に示すように、球面を形成する各凸部の中央付近に入射する入射光Ｌ１は、屈折して観察側へと出射するものの、臨界角である４２°以上となる球周辺部に入射する入射光Ｌ２，Ｌ３は、内部で全反射を繰り返し、観察側へと出射しない。そのため、従来の球形ビーズＢＺを用いた光拡散板においては、観察者に到達する光量が減少し、効率が悪いという問題があった。
【０００９】
また、上述した特許文献１及び特許文献２をはじめとする従来の技術においては、凹凸双方の形状を有することから、入射光に対して垂直な面上で急激に面積が狭くなる箇所が生じ、かかる箇所において全反射が生じることから、効率が悪い感が否めないという問題があった。
【００１０】
本発明は、このような実情に鑑みてなされたものであり、極めて容易に製造することができるとともに拡散効率を大幅に向上させることができる光透過体及び光拡散板、並びにこの光拡散板を用いたプロジェクター装置用スクリーンを提供することを目的とする。
【課題を解決するための手段】
【００１１】
上述した目的を達成する本発明にかかる光透過体は、入射した光を透過する光透過体であって、少なくとも一方の界面に多数の凹部が形成されていることを特徴としている。
【００１２】
このような本発明にかかる光透過体は、少なくとも一方の界面に多数の凹部が形成されていることから、ある凹部における臨界角よりも周辺部に入射した入射光が全反射することなく、隣接する凹部を介して出射するようになる。すなわち、本発明にかかる光透過体においては、入射光が屈折して外部へと出射する割合を大きくすることができる。
【００１３】
具体的には、本発明にかかる光透過体においては、光出射側に前記凹部が形成されており、光入射側には、前記凹部に対応した多数の凸部が形成されている。
【００１４】
ここで、このような前記凹部としては、略球体内面の一部形状からなるように形成することができる。このような凹部を有する本発明にかかる光透過体は、所定の基材に微小凸レンズを敷き詰めて構成される原版を反転させて製造することができる。
【００１５】
具体的には、本発明にかかる光透過体は、前記原版上に所定の樹脂を塗布し、前記樹脂上に被覆された所定のフィルムを剥離することによって製造することができる。ここで、前記樹脂としては、紫外線硬化樹脂を用いるのが望ましく、製造の容易化を図ることができる。また、前記フィルムとしては、ポリエチレンテレフタレートフィルムを用いるのが好適であり、本発明にかかる光透過体は、前記紫外線硬化樹脂上に被覆された前記ポリエチレンテレフタレートフィルム上から紫外線を照射することによって当該ポリエチレンテレフタレートフィルムが剥離されることによって製造することができる。
【００１６】
これにより、本発明にかかる光透過体は、高価な金型を一切用いず安価に製造することができる。
【００１７】
また、本発明にかかる光透過体は、前記フィルムの代わりに、所定の基材に微小凸レンズを敷き詰めて構成される光拡散板の台紙を用い、前記台紙側に前記紫外線硬化樹脂が塗布されることによっても製造することができる。このように、本発明にかかる光透過体においては、紫外線硬化樹脂の台紙として従来の光拡散板を用いることにより、光拡散度を容易に向上させることができる。
【００１８】
さらに、前記凹部としては、回転楕円体内面の一部形状からなるように形成することもできる。これにより、本発明にかかる光透過体は、入射光を効率よく出射して拡散度を向上させることができ、視野角が広いスクリーンを安価に作製することができる。このような凹部を有する本発明にかかる光透過体は、所定の基材に微小凸レンズを敷き詰めて構成される原版を反転させて製造することができる。
【００１９】
具体的には、本発明にかかる光透過体は、前記原版上に所定の樹脂を塗布し、前記樹脂上に被覆された所定のフィルムを剥離することによって作製される凹部群上に所定の樹脂溶液を塗布し、その塗布面を下方にして固化させることによって作製される型を用いて製造することができる。ここで、前記型としては、合成樹脂型又は電気鋳造型を用いるのが好適である。
【００２０】
また、前記型としては、延伸可能な素材を用いて作製したものを用いることもできる。そして、本発明にかかる光透過体は、前記型を回転楕円体の長軸方向と直交する方向に延伸し、前記界面に垂直で互いに直交する凹部断面形状が異なる仮型を用いて製造することができる。より具体的には、本発明にかかる光透過体は、前記仮型に基づいて２回転写した本型を用いて製造することができる。なお、延伸した前記界面の形状である楕円の長軸と短軸との比率は、１．２乃至２．０であるのが望ましい。
【００２１】
さらに、本発明にかかる光透過体は、前記原版上に所定の樹脂溶液を塗布し、その塗布面を下方にして固化させることによって作製される型を用いて製造することもできる。この場合においても、前記型としては、合成樹脂型又は電気鋳造型を用いるのが好適である。
【００２２】
そして、この場合においても、前記型としては、延伸可能な素材を用いて作製したものを用いることができる。すなわち、本発明にかかる光透過体は、前記型を回転楕円体の長軸方向と直交する方向に延伸し、前記界面に垂直で互いに直交する凹部断面形状が異なる仮型を作製し、前記仮型に基づいて２回転写した本型を用いて製造することができる。なお、延伸した前記界面の形状である楕円の長軸と短軸との比率は、１．２乃至２．０であるのが望ましい。
【００２３】
このように、本発明にかかる光透過体は、途中型を一方向に延伸することにより、視野角が狭くてもよい垂直方向のみの視野角を狭めることができ、高輝度を実現することができる。
【００２４】
また、上述した目的を達成する本発明にかかる光拡散板は、入射した光を拡散する光拡散板であって、所定の基材と、前記基材における少なくとも一方の界面に多数の凹部が形成された光透過体とを備えることを特徴としている。
【００２５】
さらに、上述した目的を達成する本発明にかかるプロジェクター装置用スクリーンは、プロジェクター装置による映像光を投影するプロジェクター装置用スクリーンであって、所定の基材と、前記基材における少なくとも一方の界面に多数の凹部が形成された光透過体を有する光拡散板を備えることを特徴としている。
【００２６】
このような本発明にかかる光拡散板及びプロジェクター装置用スクリーンは、基材における少なくとも一方の界面に多数の凹部が形成されていることから、ある凹部における臨界角よりも周辺部に入射した入射光が全反射することなく、隣接する凹部を介して出射するようになる。すなわち、本発明にかかる光拡散板及びプロジェクター装置用スクリーンにおいては、入射光が屈折して外部へと出射する割合を大きくすることができる。
【発明の効果】
【００２７】
本発明においては、界面における全反射によって不要な方向へと出射していた光を必要な方向へと出射させることができ、拡散効率を大幅に向上させることができる光学製品を極めて容易に製造することができる。
【発明を実施するための最良の形態】
【００２８】
以下、本発明を適用した具体的な実施の形態について図面を参照しながら詳細に説明する。
【００２９】
この実施の形態は、プロジェクター装置用スクリーンや液晶表示装置に用いて好適な光拡散板である。特に、この光拡散板は、従来の光拡散板では凸状に形成されていた光出射側に、多数の凹部を設けることにより、入射光が全反射してしまう領域を極力低減したものである。
【００３０】
まず、第１の実施の形態として示す光拡散板について説明する。
【００３１】
例えば図１に示すように、光拡散板１０は、一般に、所定の光源２１から出射され、フレネルレンズ等の所定の光学系２２によって形成された平行光Ｌを入射すると、この平行光Ｌを出射する際に様々な方向へと拡散させる用途に用いられる。
【００３２】
このような光拡散板１０は、図２及び図３に示すように、所定の透明フィルム等からなる所定の基材の光出射側に、略球体内面の一部形状からなる多数の凹部１１ａ，１１ｂ，１１ｃ，１１ｄ，・・・を設けて構成される。すなわち、光拡散板１０は、従来の球形ビーズ等の微小な凸レンズを用いた光拡散板のように、光出射側が凸状に形成されるのではなく、凹状に形成される。これにともない、光拡散板１０は、光入射側に多数の凸部１２ａ，１２ｂ，１２ｃ，１２ｄ，・・・が形成される。
【００３３】
このような光拡散板１０においては、従来の凸レンズを用いた光拡散板と同様に、凹部１１ａの中央付近に入射する入射光Ｌ１は、屈折して観察側へと出射し、凹部１１ｂにおける臨界角である４２°近傍に入射する入射光Ｌ２は、全反射してしまう。しかしながら、かかる拡散板１０においては、凹部１１ｃにおける臨界角よりも周辺部に入射する入射光Ｌ３は、隣接する凹部１１ｄを介して観察側へと出射する。したがって、かかる拡散板１０においては、入射光が観察側へと出射する割合が大きくなる。
【００３４】
このような光拡散板１０は、所定の基材に球形ビーズ等の微小凸レンズを敷き詰めた従来の光拡散板を原版とし、これを反転させて製造することができる。すなわち、光拡散板１０は、従来の光拡散板からなる原版上に紫外線硬化樹脂を塗布し、この紫外線硬化樹脂上をポリエチレンテレフタレートフィルムによって被覆し、このポリエチレンテレフタレートフィルム上から紫外線を照射することによって当該ポリエチレンテレフタレートフィルムを剥離することにより、製造することができる。
【００３５】
また、光拡散板１０は、ポリエチレンテレフタレートフィルムの代わりに、従来の光拡散板を用い、その台紙側に紫外線硬化樹脂を塗布して製造することもできる。
【００３６】
このように、光拡散板１０は、従来の光拡散板を原版として用い、紫外線硬化樹脂に転写することにより、多数の凹部１１ａ，１１ｂ，１１ｃ，１１ｄ，・・・を容易に形成することができ、高価な金型を一切用いず安価に製造することができる。また、光拡散板１０においては、紫外線硬化樹脂の台紙として従来の光拡散板を用いることにより、光拡散度を容易に向上させることができる。
【００３７】
さて、本件出願人は、従来の光出射側に凸部が形成された拡散板と本発明にかかる凹部が形成された拡散板とを採用した場合において、光の透過の影響を比較するために、いわゆるＦＤＴＤ法（Finite Difference Tome Domain Method）による光場シミュレーションを行った（非定常状態）。なお、ＦＤＴＤ法とは、マクスウェルの方程式を時間及び空間で差分化し、解析空間の電磁界を、いわゆるリープフロッグアルゴリズムを用いて時間的に更新し、出力点の時間応答を得る手法である。
【００３８】
モデルは、図４(ａ)に光出射側に凸部が形成された拡散板を示すとともに、図４(ｂ)に光出射側に凹部が形成された拡散板を示すように、これら拡散板の下側から平面波のパルス光（波長λ＝５３０ｎｍ）を入射させた場合における光の進行方向のみについて光場を計算した。なお、拡散板の屈折率は、ｎ＝１．４とし、光出射側の屈折率は、空気を想定してｎ＝１．０とした。
【００３９】
図５(ａ)に、光出射側に凸部が形成された拡散板についての結果を示し、図５(ｂ)に、光出射側に凹部が形成された拡散板についての結果を示す。これらの図から、光出射側に凸部が形成された拡散板においては、当該拡散板の内部にかなりの光量の光が滞在しているのに対して、光出射側に凹部が形成された拡散板においては、当該拡散板の内部に光がほとんど滞在していないことがわかる。すなわち、この結果は、光出射側に凸部が形成された拡散板においては、全反射によって凸部内部に光が戻されてしまう現象が多いのに対して、光出射側に凹部が形成された拡散板においては、光が外部に出射される確率が高い、という事実を示しているのに他ならない。
【００４０】
このように、光拡散板１０においては、従来では多数の微小な凸レンズを並置していた構成を反転し、多数の凹レンズを並置して構成することにより、界面における全反射によって不要な方向へと出射していた光を必要な方向へと出射させることができ、高効率な光透過を実現することができる。
【００４１】
つぎに、第２の実施の形態として示す光拡散板について説明する。この第２の実施の形態として示す光拡散板は、第１の実施の形態として示した光拡散板をさらに改良し、光拡散度をより向上させることができるものである。具体的には、第２の実施の形態として示す光拡散板は、第１の実施の形態として示した光拡散板に、さらに樹脂を塗布することにより、略球体内面の一部形状とされる凹部群を回転楕円体内面の一部形状とされる凹部群とし、視野角を広げたものである。また、この光拡散板は、途中型をシリコンゴム等によって作製し、これを一方向に延伸することにより、延伸方向の視野角を狭め、高輝度を実現するものである。
【００４２】
図６及び図７に示すように、光拡散板５０は、所定の透明フィルム等からなる所定の基材の光出射側に、回転楕円体内面の一部形状からなる多数の凹部５１ａ，５１ｂ，５１ｃ，５１ｄ，・・・を設けて構成される。これにともない、光拡散板５０は、光入射側に多数の凸部５２ａ，５２ｂ，５２ｃ，５２ｄ，・・・が形成される。
【００４３】
このような光拡散板５０において、凹部５１ａ，５１ｂ，５１ｃ，５１ｄ，・・・に入射する入射光Ｌ４は、屈折して観察側へと出射するが、入射面から出射面までの距離が長いことから、入射位置から出射位置までの水平方向距離が長くなる。すなわち、光拡散板５０においては、略球体内面の一部形状からなる凹部が形成されている場合に比べ、視野角を広げることができる。
【００４４】
このような光拡散板５０は、従来の球形ビーズ等の微小凸レンズを敷き詰めた光拡散板を原版とし、これを反転させて製造することができる。すなわち、光拡散板５０を製造するにあたっては、第１の実施の形態として示した光拡散板１０を製造する過程で、従来の光拡散板を反転させて得られる凹部群上に所定の合成樹脂溶液を塗布し、その塗布面を下方にして固化させる。これにより、合成樹脂溶液が自重によって下方へと集まることから、合成樹脂量が下部ほど多くなり、凹状の回転楕円体群が形成される。光拡散板５０は、このようにして作製された反転型からレプリカを作製することにより、製造することができる。
【００４５】
また、光拡散板５０は、従来の光拡散板上における球形ビーズの頂部近傍にローラを用いて合成樹脂溶液を塗布し、その塗布面を下方にして固化させることによっても製造することができる。この場合、合成樹脂溶液が自重によって下方へと集まることから、合成樹脂量が下部ほど多くなり、凸状の回転楕円体群が形成される。光拡散板５０は、この回転楕円体群を型としてレプリカを作製することにより、製造することができる。
【００４６】
このように、光拡散板５０は、多数の凹部５１ａ，５１ｂ，５１ｃ，５１ｄ，・・・の形状を回転楕円体内面の一部形状とすることにより、入射光を効率よく出射して拡散度を向上させることができ、視野角が広いスクリーンを安価に作製することができる。
【００４７】
ところで、光拡散板５０においては、左右対称の拡散角を実現するのではなく、界面に対して垂直方向の視野角は狭くてもよく、水平方向の視野角のみが広い方が望ましい。そこで、光拡散板５０においては、レプリカとして作製される上述した型として、例えばシリコンゴム等の延伸可能な素材を用いて作製することにより、かかる視野角の変化を実現することができる。
【００４８】
すなわち、光拡散板５０を製造するにあたっては、延伸可能な合成樹脂型を作製し、この合成樹脂型を回転楕円体の長軸方向と直交する方向に延伸する。これにより、光出射面において、凹部５１ａ，５１ｂ，５１ｃ・・・の開口形状は、例えば図８に示すように、円状ではなく楕円状に変形される。すなわち、光拡散板５０を製造するにあたっては、光出射面となる界面に垂直で互いに直交する凹部断面形状が異なる仮型を作製する。このとき、楕円状の界面としては、当該楕円の長軸と短軸との比率を１．２乃至２．０程度とするのが望ましい。そして、光拡散板５０は、この仮型に基づいて２回転写した本型を用いることにより、製造することができる。
【００４９】
このように、光拡散板５０は、途中型を一方向に延伸することにより、視野角が狭くてもよい垂直方向のみの視野角を狭めることができ、これにより、高輝度を実現することができる。
【００５０】
以上説明したように、本発明の実施の形態として示す光拡散板１０，５０においては、少なくとも一方の界面、特に光出射側の界面に、略球体内面若しくは回転楕円体内面の一部形状からなる凹部、又は回転楕円体の短軸断面を延伸した凹部を多数形成することにより、界面における全反射によって不要な方向へと出射していた光を必要な方向へと出射させることができ、高効率な光透過を実現することができる。したがって、これら拡散板１０，５０を適用したプロジェクター装置用スクリーンや液晶表示装置は、極めて良好な画質を実現することができる。
【００５１】
なお、本発明は、上述した実施の形態に限定されるものではない。例えば、上述した実施の形態では、紫外線硬化樹脂を用いて光拡散板１０，５０を製造するものとして説明したが、本発明は、紫外線硬化樹脂の代わりに、熱硬化樹脂や２液混合型樹脂等を用いることによって製造することもできる。
【００５２】
また、上述した実施の形態では、ポリエチレンテレフタレートフィルムを用いて光拡散板１０，５０を製造するものとして説明したが、本発明は、ポリエチレンテレフタレートフィルムの代わりに、アクリル性の樹脂フィルムやポリカーボネート性の樹脂フィルム等を用いてもよい。
【００５３】
さらに、上述した実施の形態では、合成樹脂による型を用いて光拡散板５０を製造するものとして説明したが、本発明は、電気鋳造による型を用いて製造するようにしてもよい。
【００５４】
さらにまた、上述した実施の形態では、入射した光を拡散する光拡散板について説明したが、本発明は、光拡散板に限らず、入射した光を透過する所定の光学部品に適用される光透過体として提供することもできる。
【００５５】
このように、本発明は、その趣旨を逸脱しない範囲で適宜変更が可能であることはいうまでもない。
【図面の簡単な説明】
【００５６】
【図１】本発明の実施の形態として示す光拡散板の用途を説明するための図である。
【図２】本発明の第１の実施の形態として示す光拡散板の構成を説明する要部側面図である。
【図３】同光拡散板の構成を説明する斜視図である。
【図４（ａ）】ＦＤＴＤ法による光場シミュレーションにて用いたモデルを説明する図であって、光出射側に凸部が形成された拡散板モデルの側面図である。
【図４（ｂ）】ＦＤＴＤ法による光場シミュレーションにて用いたモデルを説明する図であって、光出射側に凹部が形成された拡散板モデルの側面図である。
【図５（ａ）】図４(ａ)に示すモデルを用いたシミュレーション結果を示す図である。
【図５（ｂ）】図４(ｂ)に示すモデルを用いたシミュレーション結果を示す図である。
【図６】本発明の第２の実施の形態として示す光拡散板の構成を説明する要部側面図である。
【図７】同光拡散板の構成を説明する斜視図である。
【図８】同光拡散板の構成を説明する要部平面図である。
【図９】従来の光拡散板の構成を説明する要部側面図である。
【符号の説明】
【００５７】
１０，５０  光拡散板、  １１ａ，１１ｂ，１１ｃ，１１ｄ，５１ａ，５１ｂ，５１ｃ，５１ｄ，・・・  凹部、  １２ａ，１２ｂ，１２ｃ，１２ｄ，５２ａ，５２ｂ，５２ｃ，５２ｄ，・・・  凸部、  ２１  光源、  ２２  光学系
【図１】
2006091468.tif 000003
【図２】
2006091468.tif 000004
【図３】
2006091468.tif 000005
【図４（ａ）】
2006091468.tif 000006
【図４（ｂ）】
2006091468.tif 000007
【図５（ａ）】
2006091468.tif 000008
【図５（ｂ）】
2006091468.tif 000009
【図６】
2006091468.tif 000010
【図７】
2006091468.tif 000011
【図８】
2006091468.tif 000012
【図９】
2006091468.tif 000013